(57)【要約】【課題】画像表示装置への表示画像の切り替えを応答性を向上させる。【解決手段】デジタルカメラ（ＤＣ）３０で撮影した画像は、画像ファイルとしてメモリ３４に記憶するときにファイルＩＤを付与する。また、画像表示の要求操作がなされたとき、ＤＣ３０では、カラー液晶表示パネル３２に画像表示を行なうと共にメモリ３４に記憶されているファイルＩＤ付きのすべての画像ファイルを送信する。画像表示装置４０では、受信した画像ファイルをファイルＩＤと関連付けてメモリ４４に記憶する。画像表示の変更要求操作がなされたとき、ＤＣ３０では、カラー液晶表示パネル３２の表示画像を変更すると共に変更画像のファイルＩＤを送信する。画像表示装置４０では、受信したファイルＩＤをキーとしてメモリ４４に記憶されている画像ファイルを検索し、検索した画像を表示する。【選択図】　　　　図１
2004147013.tif 000002
【特許請求の範囲】
【請求項１】
画像を入力する画像入力装置と画像を表示する画像表示装置とが所定の通信規格の通信インタフェースを介して接続されてなる画像表示システムであって、
（ａ）前記画像入力装置は、
入力された画像を該画像を識別する識別情報と関連付けて記憶する入力側記憶手段と、
所定の第１の操作がなされたときに、前記入力側記憶手段に記憶された画像を対応する識別情報と共に前記画像表示装置に送信する画像送信手段と、
前記第１の操作がなされた後に所定の第２の操作により前記記憶された画像の中から所望の画像が選択されたとき、該選択された画像に対応する識別情報を前記画像表示装置に送信する情報送信手段と、
を備え、
（ｂ）前記画像表示装置は、
前記画像入力装置の画像送信手段により送信された画像と識別情報とを受信する画像受信手段と、
該受信した画像を対応する識別情報に関連付けて記憶する出力側記憶手段と、
前記画像入力装置の情報送信手段により送信された識別情報を受信する情報受信手段と、
該受信された識別情報に基づいて前記出力側記憶手段に記憶された画像の中から対応する画像を検索する画像検索手段と、
該検索された画像を表示する出力側表示手段と
を備える
画像表示システム。
【請求項２】
請求項１記載の画像表示システムであって、
前記所定の第１の操作は、前記画像表示装置に表示させる複数の画像を選択する操作を含む操作である
画像表示システム。
【請求項３】
請求項１または２記載の画像表示システムであって、
前記画像入力装置は、
前記所定の第２の操作により所望の画像が選択されたとき、該選択された画像を表示する入力側表示手段を備える
画像表示システム。
【請求項４】
請求項３記載の画像表示システムであって、
前記所定の第２の操作は、前記画像表示装置の入力側表示手段への画像の表示を切り替える操作である
画像表示システム。
【請求項５】
請求項１ないし４いずれか記載の画像表示システムであって、
前記画像入力装置は、画像を撮像する撮像装置である
画像表示システム。
【請求項６】
請求項１ないし５いずれか記載の画像表示システムであって、
前記所定の通信規格の通信インタフェースは、一方が他方を従属的に制御するよう通信するインタフェースであり、
前記画像入力装置は、前記所定の通信規格に従って従属的に制御される側の従属側通信手段を備え、
前記画像表示装置は、前記所定の通信規格に従って従属的に制御する側の非従属側通信手段を備える
画像表示システム。
【請求項７】
画像を入力する画像入力装置と画像を表示する画像表示装置とが所定の通信規格の通信インタフェースを介して接続されてなる画像表示システムにおける画像入力装置であって、
入力された画像を該画像を識別する識別情報と関連付けて記憶する入力側記憶手段と、
所定の第１の操作がなされたときに、前記記憶された画像を対応する識別情報と共に、画像を識別情報と関連付けて記憶する出力側記憶手段を有する前記画像表示装置に送信する画像送信手段と、
前記第１の操作がなされた後に所定の第２の操作により前記記憶された画像の中から所望の画像が選択されたとき、該選択された画像に対応する識別情報を、識別情報に基づいて前記出力側記憶手段に記憶された画像を検索し表示する画像表示装置に送信する情報送信手段と、
を備える画像入力装置。
【請求項８】
請求項７記載の画像入力装置であって、
前記所定の第１の操作は、前記画像表示装置に表示させる複数の画像を選択する操作を含む操作である
画像入力装置。
【請求項９】
画像を入力する画像入力装置と画像を表示する画像表示装置とが所定の通信規格の通信インタフェースを介して接続されてなる画像表示システムにおける画像表示装置であって、
前記画像入力装置に記憶された画像と該画像を識別する識別情報とを該画像入力装置から受信する画像受信手段と、
該受信された画像を対応する識別情報と関連付けて記憶する出力側記憶手段と、
前記画像入力装置の操作により送信された識別情報を受信する情報受信手段と、
該受信された識別情報に基づいて前記記憶された画像を検索する画像検索手段と、
該検索された画像を表示する出力側表示手段と
を備える画像表示装置。
【請求項１０】
画像を入力する画像入力装置と画像を表示する画像表示装置とが所定の通信規格の通信インタフェースを介して接続されてなる画像表示システムにおける前記画像表示装置への画像の表示を制御する画像表示の制御方法であって、
前記画像入力装置を、入力された画像が該画像を識別する識別情報と関連付けて記憶され、所定の第１の操作がなされたときに前記記憶された画像が対応する識別情報と共に前記画像表示装置に送信され、前記第１の操作がなされた後に所定の第２の操作により前記記憶された画像の中から所望の画像が選択されたとき、該選択された画像に対応する識別情報が前記画像表示装置に送信されるよう制御し、
前記画像表示装置を、前記画像入力装置により送信された画像と識別情報とが受信され、該受信された画像が対応する識別情報に関連付けて記憶され、前記画像入力装置により送信された識別情報が受信され、該受信された識別情報に基づいて前記記憶された画像の中から対応する画像が検索されると共に、該検索された画像が表示されるよう制御する
画像表示の制御方法。
【発明の詳細な説明】
【０００１】
【発明の属する技術分野】
本発明は、画像表示システムおよびこれに用いられる画像入力装置並びに画像表示装置、画像表示の制御方法に関し、詳しくは、画像を入力する画像入力装置と、画像を表示する画像表示装置とが所定の通信規格の通信インタフェースを介して接続されてなる画像表示システムおよびこれに用いられる画像入力装置並びに画像表示装置、画像表示システムにおける画像表示装置への画像の表示を制御する画像表示の制御方法に関する。
【０００２】
【従来の技術】
従来より、汎用のコンピュータと周辺機器とを接続する通信インタフェースとしてＵＳＢ（Ｕｎｉｖｅｒｓａｌ　Ｓｅｒｉａｌ　Ｂｕｓ）が知られている。このＵＳＢによりコンピュータと周辺機器とが接続されると、通常、コンピュータはホストとして機能して周辺機器を従属的に制御する。したがって、ＵＳＢをサポートするコンピュータはホストとして機能するためのホストコントローラを装備することになる。ＵＳＢの規格ではデバイスの機能毎にパーソナルコンピュータとのデータの送受信のフォーマットが定められており、デバイスクラスとして定義されている。このデバイスクラスとしては、ストレージクラスやＨＩＤクラス、ＳＴＩクラス、プリンタクラスなどがある。
【０００３】
こうしたＵＳＢを介してデジタルカメラとプリンタとをコンピュータを経由することなく直接接続するものが提案されている（特許文献１参照）。この技術では、ＵＳＢの規格に従ってプリンタにホストとしての機能をもたせてデジタルカメラをマスストレージクラスのデバイスとして接続するものとし、プリンタに設けられた操作パネルによる操作によってデジタルカメラに記憶されている画像をコンピュータを経由することなく、プリンタで自動印刷できるようにしている。
【０００４】
【特許文献１】
特開２００１−２９０６１２号公報（図１）
【０００５】
【発明が解決しようとする課題】
しかしながら、前述したように、ＵＳＢの規格ではコンピュータにホストとしての機能をもたせて周辺機器と接続することを前提としているから、ＵＳＢを用いてコンピュータ以外の機器同士を接続する場合には、いずれの機器をホストとして機能させるのが好ましいのかが問題となる。いま、デジタルカメラと表示装置としてのプロジェクタとをＵＳＢ接続してデジタルカメラに記録された画像をプロジェクタで再生することを考える。このとき、操作性の向上を考慮すると、デジタルカメラ単独での再生操作を可能とするためにデジタルカメラにホストとしての機能を持たせることが好ましい。しかし、デジタルカメラの携帯性の向上を考慮すると、ホストからデバイスを制御するための大量のデバイスドライバを記憶するためのメモリ領域や大きな電流供給を必要とするホスト機能をデジタルカメラにもたせるのは現実的ではない。
【０００６】
また、近年、デジタルカメラの性能の向上は著しく、撮影される画像は高画質化し、記録される画像の情報量も多くなる傾向にある。このため、プロジェクタでスライドショーなどの画像再生を行なう際に、再生する画像を切り替えようとする度にその画像に対応する画像ファイルをデジタルカメラから送信する場合、その処理にかかる時間が長くなるため、デジタルカメラ側から画像ファイルを送信してからプロジェクタで画像が再生されるまでに大きなタイムラグが生じてしまう。
【０００７】
更に、デジタルカメラには、撮影する際に被写体を表示させたり撮影した画像を後で確認するための表示パネルを備えるものが多いが、このデジタルカメラが備える表示パネルを確認しながらプロジェクタへの画像の表示を操作できると便利である。
【０００８】
本発明の画像表示システムおよびこれに用いられる画像入力装置並びに画像表示装置、画像表示の制御方法は、こうした問題を解決し、画像入力装置を操作して画像表示装置に画像を表示させる際の画像表示装置の応答性をより向上させることを目的の一つとする。また、本発明の画像表示システムおよびこれに用いられる画像入力装置並びに画像表示装置、画像表示の制御方法は、画像表示装置への画像の表示の切り替え処理をより簡単な処理で行なえるようにすることを目的の一つとする。さらに、本発明の画像表示システムおよびこれに用いられる画像入力装置並びに画像表示装置、画像表示の制御方法は、画像表示装置への画像表示の操作を画像入力装置が備える表示手段で確認しながら行なえるようにすることを目的の一つとする。
【０００９】
【課題を解決するための手段およびその作用・効果】
本発明の画像表示システムおよびこれに用いられる画像入力装置並びに画像表示装置、画像表示の制御方法は、上述の目的の少なくとも一部を達成するために以下の手段を採った。
【００１０】
本発明の画像表示システムは、
画像を入力する画像入力装置と画像を表示する画像表示装置とが所定の通信規格の通信インタフェースを介して接続されてなる画像表示システムであって、
（ａ）前記画像入力装置は、
入力された画像を該画像を識別する識別情報と関連付けて記憶する入力側記憶手段と、
所定の第１の操作がなされたときに、前記入力側記憶手段に記憶された画像を対応する識別情報と共に前記画像表示装置に送信する画像送信手段と、
前記第１の操作がなされた後に所定の第２の操作により前記記憶された画像の中から所望の画像が選択されたとき、該選択された画像に対応する識別情報を前記画像表示装置に送信する情報送信手段と、
を備え、
（ｂ）前記画像表示装置は、
前記画像入力装置の画像送信手段により送信された画像と識別情報とを受信する画像受信手段と、
該受信した画像を対応する識別情報に関連付けて記憶する出力側記憶手段と、
前記画像入力装置の情報送信手段により送信された識別情報を受信する情報受信手段と、
該受信された識別情報に基づいて前記出力側記憶手段に記憶された画像の中から対応する画像を検索する画像検索手段と、
該検索された画像を表示する出力側表示手段と
を備えることを要旨とする。
【００１１】
この本発明の画像表示システムでは、画像入力装置が、入力された画像を画像を識別する識別情報と共に入力側記憶手段に記憶し、所定の第１の操作がなされたときに、記憶された画像を対応する識別情報と共に所定の通信規格の通信インタフェースを介して接続された画像表示装置に送信しておく。また、第１の操作がなされた後に所定の第２の操作により入力側記憶手段に記憶された画像の中から所望の画像が選択されたとき、選択された画像に対応する識別情報を画像表示装置に送信する。そして、画像表示装置が、画像入力装置により送信された画像と識別情報とを受信し、受信した画像を対応する識別情報に関連付けて出力側記憶手段に記憶する。また、画像入力装置により送信された識別情報を受信し、受信された識別情報に基づいて出力側記憶手段に記憶された画像の中から対応する画像を検索し、検索した画像を表示する。画像入力装置により入力された画像データは、その画像を識別する識別情報に関連付けられて画像入力装置に記憶されると共に、これと同一の情報を第１の操作がなされたときに画像表示装置に送信して記憶させておくから、後の第２の操作により画像が選択されたときに画像入力装置から対応する識別情報のみを画像表示装置に送信するだけでよく、画像入力装置の操作に対する画像表示装置への画像表示の応答性を向上させることができる。
【００１２】
こうした本発明の画像表示システムにおいて、前記所定の第１の操作は、前記画像表示装置に表示させる複数の画像を選択する操作を含む操作であるものとすることもできる。こうすれば、画像表示装置に表示させない不要の画像を画像表示装置に送信することがない。
【００１３】
また、本発明の画像表示システムにおいて、前記画像入力装置は、前記所定の第２の操作により所望の画像が選択されたとき、該選択された画像を表示する入力側表示手段を備えるものとすることもできる。こうすれば、画像入力装置と画像表示装置の両方に同一の画像を表示させることができる。この態様の本発明の画像表示システムにおいて、前記所定の第２の操作は、前記画像表示装置の入力側表示手段への画像の表示を切り替える操作であるものとすることもできる。
【００１４】
さらに、本発明の画像表示システムにおいて、前記画像入力装置は、画像を撮像する撮像装置であるものとすることもできる。
【００１５】
或いは、本発明の画像表示システムにおいて、前記所定の通信規格の通信インタフェースは、一方が他方を従属的に制御するよう通信するインタフェースであり、前記画像入力装置は、前記所定の通信規格に従って従属的に制御される側の従属側通信手段を備え、前記画像表示装置は、前記所定の通信規格に従って従属的に制御する側の非従属側通信手段を備えるものとすることもできる。こうすれば、画像入力装置と画像表示装置との通信は画像表示装置をホストとするから、汎用のコンピュータを経由することなく画像入力装置と画像表示装置とを直接接続することができると共に画像入力装置の小型化を図ることができる。
【００１６】
本発明の画像入力装置は、
画像を入力する画像入力装置と画像を表示する画像表示装置とが所定の通信規格の通信インタフェースを介して接続されてなる画像表示システムにおける画像入力装置であって、
入力された画像を該画像を識別する識別情報と関連付けて記憶する入力側記憶手段と、
所定の第１の操作がなされたときに、前記記憶された画像を対応する識別情報と共に、画像を識別情報と関連付けて記憶する出力側記憶手段を有する前記画像表示装置に送信する画像送信手段と、
前記第１の操作がなされた後に所定の第２の操作により前記記憶された画像の中から所望の画像が選択されたとき、該選択された画像に対応する識別情報を、識別情報に基づいて前記出力側記憶手段に記憶された画像を検索し表示する画像表示装置に送信する情報送信手段と、
を備えることを要旨とする。
【００１７】
この本発明の画像入力装置では、入力された画像を画像を識別する識別情報に関連付けて記憶し、所定の第１の操作がなされたときに、記憶された画像を対応する識別情報と共に、画像を識別情報と関連付けて記憶する画像表示装置に送信する。そして、第１の操作がなされた後に所定の第２の操作により記憶された画像の中から所望の画像が選択されたとき、選択された画像に対応する識別情報を、識別情報に基づいて記憶された対応する画像を検索し表示する画像表示装置に送信する。画像入力装置により入力された画像データはその画像を識別する識別情報に関連付けられて画像入力装置に記憶されると共に、これと同一の情報を第１の操作により画像表示装置に送信して記憶させておくから、後の第２の操作により画像が選択されたときに画像入力装置から識別情報のみを画像表示装置に送信するだけでよく、画像入力装置の操作に対する画像表示装置への画像表示の応答性を向上させることができる。
【００１８】
こうした本発明の画像入力装置において、前記所定の第１の操作は、前記画像表示装置に表示させる複数の画像を選択する操作を含む操作であるものとすることもできる。こうすれば、画像表示装置に表示させない不要の画像を画像表示装置に送信することがない。
【００１９】
本発明の画像表示装置は、
画像を入力する画像入力装置と画像を表示する画像表示装置とが所定の通信規格の通信インタフェースを介して接続されてなる画像表示システムにおける画像表示装置であって、
前記画像入力装置に記憶された画像と該画像を識別する識別情報とを該画像入力装置から受信する画像受信手段と、
該受信された画像を対応する識別情報と関連付けて記憶する出力側記憶手段と、
前記画像入力装置の操作により送信された識別情報を受信する情報受信手段と、
該受信された識別情報に基づいて前記記憶された画像を検索する画像検索手段と、
該検索された画像を表示する出力側表示手段と
を備えることを要旨とする。
【００２０】
この本発明の画像表示装置では、画像入力装置に記憶された画像と画像を識別する識別情報とを画像入力装置から受信し、受信された画像を対応する識別情報と関連付けて記憶し、画像入力装置からの操作により送信された識別情報を受信し、受信された識別情報に基づいて記憶された画像を検索すると共に検索された画像を表示する。画像入力装置に記憶された画像および画像を識別する識別情報と同一の情報を画像表示装置で予め記憶するから、後に画像入力装置から識別情報を受信するだけで対応する画像を良好な応答性で表示することができる。
【００２１】
本発明の画像表示の制御方法は、
画像を入力する画像入力装置と画像を表示する画像表示装置とが所定の通信規格の通信インタフェースを介して接続されてなる画像表示システムにおける前記画像表示装置への画像の表示を制御する画像表示の制御方法であって、
前記画像入力装置を、入力された画像が該画像を識別する識別情報と関連付けて記憶され、所定の第１の操作がなされたときに前記記憶された画像が対応する識別情報と共に前記画像表示装置に送信され、前記第１の操作がなされた後に所定の第２の操作により前記記憶された画像の中から所望の画像が選択されたとき、該選択された画像に対応する識別情報が前記画像表示装置に送信されるよう制御し、
前記画像表示装置を、前記画像入力装置により送信された画像と識別情報とが受信され、該受信された画像が対応する識別情報に関連付けて記憶され、前記画像入力装置により送信された識別情報が受信され、該受信された識別情報に基づいて前記記憶された画像の中から対応する画像が検索されると共に、該検索された画像が表示されるよう制御することを要旨とする。
【００２２】
この本発明の画像表示の制御方法では、画像入力装置を、入力された画像が画像を識別する識別情報と共に記憶され、所定の第１の操作がなされたときに記憶された画像が対応する識別情報と共に所定の通信規格の通信インタフェースを介して接続された画像表示装置に送信され、第１の操作がなされた後に所定の第２の操作により、記憶された画像の中から所望の画像が選択されたとき、選択された画像に対応する識別情報が画像表示装置に送信されるよう制御する。そして、画像表紙装置を、画像入力装置により送信された画像が対応する識別情報と共に受信され、受信された画像が対応する識別情報に関連付けて記憶され、画像入力装置により送信された識別情報が受信され、該受信された識別情報に基づいて記憶された画像の中から対応する画像が検索されると共に、検索された画像が表示されるよう制御する。画像入力装置により入力された画像データは、その画像を識別する識別情報に関連付けられて画像入力装置に記憶されると共に、これと同一の情報を第１の操作がなされたときに画像表示装置に送信して記憶させておくから、後の第２の操作により画像が選択されたときに画像入力装置から対応する識別情報のみを画像表示装置に送信するだけでよく、画像入力装置の操作に対する画像表示装置への画像表示の応答性を向上させることができる。
【００２３】
【発明の実施の形態】
次に、本発明の実施の形態を実施例を用いて説明する。図１は、本発明の一実施例である画像表示システム２０の構成の概略を示す構成図である。図示するように、実施例の画像表示システム２０は、画像入力装置としてのデジタルカメラ３０と画像表示装置４０とがＵＳＢ通信インタフェースケーブル５０により接続されて構成されている。
【００２４】
デジタルカメラ３０は、操作部３６からの入力を受けて各部をコントロールするカメラコントローラ３１を中心として構成されており、被写体を表示すると共に各種操作に必要な表示を行なうカラー液晶表示パネル３２と、被写体を撮影して電気信号に変換する撮影装置３３と、撮影装置３３からの電気信号に基づいてカメラコントローラ３１により作成された画像ファイルに画像ファイルを識別するためのファイルＩＤを付与して記憶するメモリ３４と、ＵＳＢホストと通信するためのＵＳＢ規格におけるマスストレージクラスのＵＳＢデバイスコントローラ３５とを備える。操作部３６は、例えば、図２に示すように、シャッターボタン３６ａをはじめとしてモードダイヤル３６ｂや十字ボタン３６ｃ，メニューボタン３６ｄ，決定ボタン３６ｅなど種々の操作ボタンからなっている。特に、操作部３６を構成する操作ボタンのうちモードダイヤル３６ｂは、被写体を撮影するための「撮影モード」や撮影した被写体をカラー液晶表示パネル３２で再生するための「再生モード」など種々の動作モードをダイヤル操作により選択できるようになっている。
【００２５】
画像表示装置４０は、図１に示すように、各部をコントロールする画像表示コントローラ４１を中心に構成されており、画像を表示する画像表示部４２と、画像表示部４２に表示するための画像ファイルを記憶するメモリ４３と、ＵＳＢデバイスと通信するためのＵＳＢホストコントローラ４５とを備える。画像表示装置４０としては、例えば、図３に例示するプロジェクタなどの表示装置として構成することができる。
【００２６】
図４は、デジタルカメラ３０のメモリ３４の記憶構造を示す図である。図４に示すように、メモリ３４は、ルートディレクトリ（Ｒｏｏｔ）の下に静止画像保存用のディレクトリ（ＤＣＩＭ）が作成されており、ＤＣＩＭディレクトリの下に画像ファイル保存用のディレクトリ（１００ＡＢＣ，１０２ＡＢＣなど）が作成されている。カメラコントローラ３１により作成された画像ファイル（ＡＢＣ０００１．ＪＰＧやＡＢＣ０００２．ＪＰＧ、ＡＢＣ０００３．ＪＰＧ，ＡＢＣ０００４．ＪＰＧなど）は、この画像ファイル保存用のディレクトリに格納されるようになっている。こうした画像ファイルには、画像ファイルのパス情報に対応するファイルＩＤ、具体的には、画像ファイルが格納されるＤＣＩＭディレクトリのディレクトリ番号と画像ファイルのファイル番号とから構成されるＩＤ（例えば、１００ＡＢＣディレクトリに格納されている画像ファイル「ＡＢＣ０００１．ＪＰＧ」のファイルＩＤは「１０００００１」）が関連付けられている。
【００２７】
次に、実施例の画像表示システム２０における通信、即ちデジタルカメラ３０と画像表示装置４０とによる通信について説明する。実施例のデジタルカメラ３０と画像表示装置４０とによる通信は、ＵＳＢデバイスコントローラ３５とＵＳＢホストコントローラ４５とを用いて行なわれる。ＵＳＢデバイスコントローラ３５とＵＳＢホストコントローラ４５との通信は、図５に例すように、各種コマンドの伝送に用いられるコントロールパイプ５１と、画像ファイルなどのデータの伝送に用いられるバルクパイプ５２と、インタラプトパイプ５３の３つの論理的なパイプ（通信チャネル）を用いて行なわれる。これらのパイプのうちインタラプトパイプ５３は、ＵＳＢ規格ではマスストレージクラスにおける通信に関しては何ら規定されていない。実施例の画像表示システム２０では、このインタラプトパイプ５３を用いることにより、画像表示装置４０がＵＳＢホストであるにも拘わらず、デジタルカメラ３０の操作によって画像表示装置４０を動作させるのである。
【００２８】
具体的には、まず、画像表示装置４０からインタラプトパイプ５３を用いて人の操作に要する時間に対して極めて短い時間毎（例えば１ｍｓｅｃ毎）にデジタルカメラ３０側のリクエストを問い合わせるコマンド（実施例では、インターラプトインコマンド［Ｉｎｔｅｒｒｕｐｔ　Ｉｎ　コマンド］）をデジタルカメラ３０側に送信させ、デジタルカメラ３０から、このインターラプトインコマンドを受ける毎に、何らの要求もない場合には何も要求がないことを意味する「ＮＡＫ」を応答として送信させ、何らかの要求がある場合にはその要求に対応した制御コマンドを応答として送信させる。そして、画像表示装置４０がインターラプトインコマンドの応答としてデジタルカメラ３０から制御コマンドを受信したときには、画像表示装置４０の画像表示コントローラ４１でその制御コマンドを解析し、制御コマンドに対応する動作を実行するのである。以下、こうした通信を用いて、デジタルカメラ３０のメモリ３４に記憶された画像ファイルをデジタルカメラ３０から画像表示装置４０に送信して、画像表示装置４０で画像を表示する際の処理について説明する。
【００２９】
デジタルカメラ３０からの画像を画像表示装置４０で表示させる際の処理は、操作者による操作部３６の操作により画像表示装置４０への画像表示（再生）が要求されたときに実行される。画像表示装置４０への画像表示要求は、例えば、モードダイヤル３６ｂの操作により動作モードとして「再生モード」を選択すると共にメニューボタン３６ｄを押すことによりカラー液晶表示パネル３２にメニューを表示させる。そして、表示させたメニューから「外部再生」を十字ボタン３６ｃの操作により選択すると共に決定ボタン３６ｅを押すことにより行なわれる。デジタルカメラ３０の動作モードとして「再生モード」が選択されると、デジタルカメラ３０のカメラコントローラ３１は、デジタルカメラ３０により撮影された画像のうちで最新の（最後に撮影された）もの（ファイルＩＤ（番号）が最も大きい画像ファイル）をカラー液晶表示パネル３２に表示する。
【００３０】
画像表示装置４０への画像の表示が要求されると、デジタルカメラ３０のカメラコントローラ３１は、画像表示装置４０への画像の表示を要求するための制御コマンドを生成すると共にこの制御コマンドをインターラプトインコマンドに対する応答として画像表示装置４０に送信する。画像表示装置４０では、この制御コマンドの解析結果の動作として、ストレージクラスとしてＵＳＢ接続されているデジタルカメラ３０のメモリ３４に記憶された画像のすべてを画像を識別する情報（ファイルＩＤ）と共に読み込み、読み込んだ画像をファイルＩＤと関連付けてメモリ４４に記憶する。そして、読み込んだ画像ファイルのうちデジタルカメラ３０と同様にファイルＩＤが最も大きい画像ファイルの画像を画像表示部４２に表示する処理を行なう。これにより、画像表示装置４０の画像表示部４２には、デジタルカメラ３０のカラー液晶表示パネル３２に表示される画像と同一の画像が表示されることになる。
【００３１】
その後、カラー液晶表示パネル３２への表示画像の変更操作がなされると、デジタルカメラ３０のカメラコントローラ３１は、カラー液晶表示パネル３２の表示画像を変更する処理を行なうと共に表示画像の変更要求を画像表示装置４０に送信する処理を行なう。カラー液晶表示パネル３２の画像の変更は、例えば、十字ボタン３６ｃの右ボタンを押すと、表示画面が次の画像に切り替わり、十字ボタン３６ｃの左ボタンを押すと、表示画面が前の画像に切り替わるものとした。また、カラー液晶表示パネル３２の表示画面が最後の画像のときに十字ボタン３６ｃの右ボタンを押すと、先頭の画像に切り替わり、表示画面が先頭の画像のときに十字ボタン３６ｃの左ボタンを押すと最後の画像に切り替わるものとした。画像表示装置４０に対する表示画像の変更要求は、変更する画像のファイルＩＤを、画像表示装置４０からのインターラプトインコマンドの応答として画像表示装置４０に送信することにより行なう。画像表示装置４０では、取得した画像のファイルＩＤに基づいてメモリ４４に記憶されている画像ファイルを検索し、検索された画像ファイルからイメージデータを生成して画像を表示する処理を行なう。このように、表示画像の変更要求に伴い画像ファイルのファイルＩＤだけを画像表示装置４０に送信することにより、デジタルカメラ３０のカラー液晶表示パネル３２の表示画像を変更したときに、同一の画像を画像表示装置４０の画像表示部４２に表示させることができるのである。
【００３２】
次に、こうしたデジタルカメラ３０と画像表示装置４０との通信の様子について更に詳細に説明する。図６はデジタルカメラ３０と画像表示装置４０との間にＵＳＢによる通信接続が確立される際の通信手順の一例を示すシーケンス図である。デジタルカメラ３０と画像表示装置４０とが電源が投入されている状態でＵＳＢ通信インタフェースケーブル５０により接続されたり、デジタルカメラ３０と画像表示装置４０とがＵＳＢ通信インタフェースケーブル５０により接続された状態で電源が投入されると、図６に例示したシーケンスに示すように、まず、ＵＳＢの通信接続を確立し、画像表示装置４０のＵＳＢホストコントローラ４５は、デジタルカメラ３０のＵＳＢデバイスコントローラ３５からＵＳＢデバイスとしての構成を記述したデバイスディスクリプタを取得する（Ｓ１００）。このデバイスディスクリプタには、デジタルカメラ３０がマスストレージクラスのデバイスであることやデジタルカメラ３０が使用するＵＳＢのエンドポイントを列挙したストリングディスクリプタなどを含むインタフェースディスクリプタが含まれている。実施例では、エンドポイントを列挙したストリングディスクリプタには、追加のエンドポイントとして「Ｉｎｔｅｒｒｕｐｕｔ　Ｉｎ」エンドポイントが記述されている。この結果、実施例における画像表示装置４０のＵＳＢホストコントローラ４５は、インタフェースディスクリプタおよびストリングディスクリプタから、デジタルカメラ３０がマスストレージクラスのデバイスであって、インターラプトインコマンド（ＵＳＢデバイス側のリクエストを問い合わせるコマンド）を使用するデバイスであることを認識することができる。なお、デジタルカメラ３０を通常のコンピュータのＵＳＢポートに接続したときには、同様にデバイスディスクリプタがコンピュータに送られるが、コンピュータに組み込まれたＵＳＢホストコントローラは追加の「Ｉｎｔｅｒｒｕｐｕｔ　Ｉｎ」エンドポイントを無視するから、デジタルカメラ３０はコンピュータに対して通常のマスストレージクラスのデバイスとして動作することになる。
【００３３】
こうしてデジタルカメラ３０と画像表示装置４０との間にＵＳＢの通信接続が確立すると、画像表示装置４０は、極めて短時間の時間間隔（例えば、１ｍｓｅｃ間隔）でインターラプトインコマンドをインタラプトパイプ５３を用いてデジタルカメラ３０へ送信する処理を開始すると共に（Ｓ１０２やＳ１０８）、通信接続が確立されてから所定の時間内にプロトコルを確認するための「Ｃｏｎｆｉｒｍａｔｉｏｎ」コマンドを送信する（Ｓ１０６）。このコマンドの送信により、画像表示装置４０がインターラプトインコマンドを使用するタイプの通信プロトコルを用いることやプロトコルバージョンなどを通知する。
【００３４】
デジタルカメラ３０では、インターラプトインコマンドを受信する毎にその時点で何らかの制御コマンドが発生していないかを調べ、何らの制御コマンドも発生していないときには要求なしを意味する「ＮＡＫ」を、何らかの制御コマンドが発生しているときには発生している制御コマンドを、インターラプトインコマンドの応答としてコントロールパイプ５１を用いて画像表示装置４０に送信する。図６の例では、Ｓ１０８のインターラプトインコマンドに対してデジタルカメラ３０で画像表示装置４０の状態を取得するためのリクエストとしての制御コマンドである「ＳｔａｔｕｓＲｅｑ」がその応答としてデジタルカメラ３０から画像表示装置４０に送信される（Ｓ１１０）。画像表示装置４０は、この制御コマンドに対して装置の状態を調べ、装置が表示要求を受け付け可能な状態であるときには、装置の状態の送信の通知を知らせるコマンドである「ＳＥＮＤ＿ＳＴＡＴＵＳ」をコントロールパイプ５１を用いてデジタルカメラ３０に送信すると共に（Ｓ１１２）、装置が表示要求を受け付け可能な状態であるコードである「ＰＬＡＹ＿ＯＫ」をバルクパイプ５２を用いてデジタルカメラ３０のメモリ３４内の所定領域に書き込む（Ｓ１１４）。デジタルカメラ３０では、こうして得られた画像表示装置４０の状態（画像の表示要求を受け付け可能な状態）をカラー液晶表示パネル３２に表示するのである。
【００３５】
図７はデジタルカメラ３０から画像の表示要求がなされて画像表示装置４０で画像の表示が実行される際の通信手順の一例を示すシーケンス図である。このシーケンスは、画像表示装置４０への画像の表示の要求がなされることにより行なわれる。まず、デジタルカメラ３０では、カメラコントローラ３１の処理により画像の表示要求が発生したことを通知するためのリクエストである制御コマンドの「ＰｌａｙＲｅｑ」が発生する。この制御コマンドは、画像表示装置４０から送信されるインターラプトインコマンド（Ｓ２００）の応答としてコントロールパイプ５１を用いてデジタルカメラ３０から画像表示装置４０に送信される（Ｓ２０２）。画像表示装置４０は、受信した「ＰｌａｙＲｅｑ」コマンドに対応して画像表示要求を取得するためのコマンドである「ＧＥＴ＿ＰＬＡＹＲＥＱ」をコントロールパイプ５１を用いてデジタルカメラ３０に送信すると共に（Ｓ２０４）、デジタルカメラ３０のメモリ３４に格納されている画像ファイルのすべてのファイルＩＤをバルクパイプ５２を介して読み出すと共にファイルＩＤをキーとしてすべての画像の画像ファイル読み出し（Ｓ２０４，Ｓ２０６）、読み出した画像ファイルをファイルＩＤと関連付けてメモリ４４に記憶する。こうして表示要求を受け入れた後に画像表示装置４０から送信されるインターラプトインコマンドに対して（Ｓ２０８）、デジタルカメラ３０から装置の状態を取得するためのリクエストの制御コマンドである「ＳｔａｔｕｓＲｅｑ」がその応答として送信されると、画像表示装置４０は、装置の状態の送信の通知を知らせるコマンドである「ＳＥＮＤ＿ＳＴＡＴＵＳ」をコントロールパイプ５１を用いてデジタルカメラ３０に送信すると共に（Ｓ２１２）、コマンドが正常に受け付けられたことを示すコードである「ＣＭＤＡＣＰＴ」をコントロールパイプ５１を用いてデジタルカメラ３０に送信する（Ｓ２１４）。なお、図中のコード「ＣＭＤＡＣＰＴ」の直後の「ｉｄ０１」は、表示ジョブをデジタルカメラ３０側で識別するためのｉｄ番号である。以下、他のコードの直後の「ｉｄ０１」についても同様である。これにより、画像表示装置４０は、まず、読み出したすべて画像ファイルのうちファイルＩＤが一番大きい画像ファイルを画像表示部４２に表示する処理を行なう。このとき、デジタルカメラ３０も、メモリ３４に記憶されている画像ファイルのうちファイルＩＤが一番大きい画像ファイルをカラー液晶表示パネル３２に表示するから、デジタルカメラ３０と画像表示装置４０との両方に同じ画像が表示されることになる。なお、デジタルカメラ３０では、「ｐｌａｙＲｅｑ」コマンドが正常に受け付けられたことを示す「ＣＭＤＡＣＰＴ」コードを受信した後には、後述する表示画像の変更を要求するための「ＣＨＩｍａｇｅＲｅｑ」コマンド或いは画像表示の終了を要求するための「ＣｏｍｐｌｅｔｅＲｅｑ」コマンドが生成していない限り、「ＳＥＮＤ＿ＳＴＡＴＵＳ」コマンドを送信し続ける。
【００３６】
デジタルカメラ３０に対して表示画像の変更要求がなされたとき（例えば、画像の再生中に十字ボタン３６ｃが左または右方向に押されたとき）には、デジタルカメラ３０では、カラー液晶表示パネル３２の表示画像を変更すると共に、画像表示装置４０への表示画像の変更を要求する制御コマンドとしての「ＣＨＩｍａｇｅＲｅｑ」を生成し、インターラプトインコマンドの応答として画像表示装置４０に送信する。画像表示装置４０では、「ＧＥＴ＿ＣＨＩＭＡＧＥＲＥＱ」をコントロールパイプ５１を用いてデジタルカメラ３０に送信すると共に（Ｓ２２０）、変更に係る画像ファイルのファイルＩＤをバルクパイプ５２を介して読み出す。そして、画像表示装置４０は、画像表示コントローラ４１の処理により、取得したファイルＩＤをキーとしてメモリ４４に記憶されている画像ファイルを検索し、検索した画像ファイルからイメージデータを生成して画像表示部４２に表示する。したがって、デジタルカメラ３０のカラー液晶表示パネル３２への表示画像を変更すると、それに同期させるように画像表示装置４０の画像表示部４２への表示画面が変更されることになる。
【００３７】
こうした表示画面の変更動作の後、画像表示の終了要求がなされたとき、例えば、メニューボタン３６ｄが押されることにより表示されるメニュー画面において十字ボタン３６ｃの操作により「外部再生終了」が選択されて決定ボタン３６ｅが押されたときには、デジタルカメラ３０からインターラプトインコマンドの応答として画像表示の終了を要求するための「ＣｏｍｐｌｅｔｅＲｅｑ」コマンドを送信し（Ｓ２３２）、送信を受けた画像表示装置４０は、画像の表示を終了する処理を行なう。そして、終了要求を受け付けらた後のインターラプトインコマンドに対応してデジタルカメラ３０から送信される「ＳｔａｔｕｓＲｅｑ」コマンドが送信されると（Ｓ２３６）、装置の状態の送信の通知を知らせる「ＳＥＮＤ＿ＳＴＡＴＵＳ」コマンドをコントロールパイプ５１を介してデジタルカメラ３０に送信すると共に（Ｓ２３８）、コマンドが正常に受け付けられて画像表示を終了したことを示すコードである「ＣＯＭＰｉｄ０１」をデジタルカメラ３０に送信して（Ｓ２４０）、画像表示処理を終了する。
【００３８】
以上説明した実施例の画像表示システム２０によれば、画像の表示要求がなされたとき、カラー液晶表示パネル３２に画像を表示すると共にファイルＩＤが付与されて記憶された画像ファイルのすべてをファイルＩＤと共に予め画像表示装置４０に送信して画像表示装置４０のメモリ４４に記憶させておく。そして、画像表示装置４０への画像の表示変更の要求がなされたときには、デジタルカメラ３０ではカラー液晶表示パネル３２に変更要求に対応する画像を表示すると共に変更要求に対応する画像のファイルＩＤを画像表示装置４０への画像の表示の要求として送信し、画像表示装置４０では送信されたファイルＩＤをキーとしてメモリ４４に記憶されている画像を検索して画像を表示する、したがって、デジタルカメラ３０と画像表示装置４０の両方に同一の画像を良好な応答性をもって表示させることができる。また、画像表示装置４０をＵＳＢホストとすると共にデジタルカメラ３０をＵＳＢデバイスとするから、デジタルカメラ３０に搭載するハード構成を簡易なものとすることができる。さらに、デジタルカメラ３０をＵＳＢ規格のマスストレージクラスを用い、画像表示装置４０とのＵＳＢ接続の際にだけインターラプトインコマンドを用いて処理を行なうものとしたから、デジタルカメラ３０を通常のマスストレージクラスのＵＳＢデバイスとしてコンピュータに接続することができる。
【００３９】
ここで、実施例の画像表示システム２０では、デジタルカメラ３０が画像を入力して複数記憶可能な画像入力装置に相当し、ＵＳＢが接続された装置の一方が他方を従属的に制御する所定の通信規格に相当する。また、デジタルカメラ３０のＵＳＢデバイスコントローラ３５が所定の通信規格における従属的に制御される側の従属側通信手段に相当し、カメラコントローラ３１およびメモリ３４が画像入力装置に入力された画像を画像を識別する識別情報と関連付けて記憶する入力側記憶手段に相当し、カメラコントローラ３１が記憶された画像を対応する識別情報と共に画像表示装置に予め送信する画像送信手段に相当し、カメラコントローラ３１およびカラー液晶表示パネル３２が所定の操作により入力側記憶手段により記憶された画像の中から画像が選択されたとき選択された画像を表示する入力側表示手段に相当し、カメラコントローラ３１が選択された画像に対応する識別情報を画像表示装置に送信する情報送信手段に相当する。さらに、画像表示装置４０のＵＳＢホストコントローラ４５が所定の通信規格における従属的に制御する側の非従属側通信手段に相当し、画像表示コントローラ４１が画像表示装置から送信された画像と識別情報とを受信する画像受信手段に相当し、画像表示コントローラ４１およびメモリ４４が受信した画像を対応する識別情報に関連付けて記憶する出力側記憶手段に相当し、画像表示コントローラ４１が画像入力装置により送信された識別情報を受信する情報受信手段と受信された識別情報に基づいて出力側記憶手段に記憶された画像を検索する画像検索手段とに相当し、画像表示コントローラ４１と画像表示部４２とが検索した画像を表示する出力側表示手段に相当する。
【００４０】
実施例の画像表示システム２０では、画像表示装置４０への画像表示の要求がなされたとき、デジタルカメラ３０のメモリ３４に記憶されたすべての画像ファイルを画像表示装置４０に送信しておくものとしたが、すべての画像ファイルを送信する必要はなく一部を送信するものとしても構わない。このとき、画像表示装置４０のメモリ４４に記憶される画像ファイルは、デジタルカメラ３０のメモリ３４に記憶された画像ファイルのうちの一部となるから、画像表示の変更要求がなされてデジタルカメラ３０から送信されたファイルＩＤに対応する画像ファイルが画像表示装置４０のメモリ４４に存在しない場合もあるが、この場合にはファイルＩＤに基づいてデジタルカメラ３０のメモリ３４に記憶された画像ファイルを読み出せばよい。デジタルカメラ３０のメモリ３４に記憶された画像ファイルの一部を送信するときには、送信する画像ファイルを操作者の操作により選択できるようにするものとしてもよい。
【００４１】
実施例の画像表示システム２０では、接続された装置の一方が他方を従属的に制御する所定の通信規格としてＵＳＢを用いたが、画像表示装置４０がデジタルカメラ３０を従属的に制御す通信規格であれば如何なる通信規格でも用いることができる。
【００４２】
実施例の画像表示システム２０では、画像入力装置としてデジタルカメラ３０を一例として挙げて説明したが、画像を入力して複数記憶可能な装置であれば、如何なる装置であっても構わない。
【００４３】
実施例では、本発明を画像表示システム２０として説明したが、システムの形態に限られるものではなく、画像表示システム２０に用いるデジタルカメラ３０や画像表示装置４０の形態としてもよい。また画像表示システム２０を構成するデジタルカメラ３０や画像表示装置４０を制御する制御方法の形態としてよい。
【００４４】
以上、本発明の実施の形態について実施例を用いて説明したが、本発明はこうした実施例に何等限定されるものではなく、本発明の要旨を逸脱しない範囲内において、種々なる形態で実施し得ることは勿論である。
【図面の簡単な説明】
【図１】実施例の画像表示システム２０の構成の概略を示す構成図。
【図２】デジタルカメラ３０の外観構成を例示する構成図。
【図３】画像表示装置４０の外観構成を例示する構成図。
【図４】デジタルカメラ３０のメモリ３４の記憶構造を示す説明図。
【図５】コマンド伝送等に使用する論理的なパイプを例示する説明図。
【図６】通信接続が確立される際の通信手順の一例を示すシーケンス図。
【図７】画像表示の実行の際の通信手順の一例を示すシーケンス図。
【符号の説明】
２０　画像表示システム、３０　デジタルカメラ、３１　カメラコントローラ、３２　カラー液晶表示パネル、３３　撮影装置、３４　メモリ、３５　ＵＳＢデバイスコントローラ、３６　操作部、３６ａ　シャッターボタン、３６ｂ　モードダイヤル、３６ｃ　十字ボタン、３６ｄ　メニューボタン、３６ｅ　決定ボタン、４０　画像表示装置、４１　画像表示コントローラ、４２　画像表示部、４４　メモリ、４５　ＵＳＢホストコントローラ、５０　ＵＳＢ通信インタフェースケーブル、５１　コントロールパイプ、５２　バルクパイプ、５３　インタラプトパイプ。
【図１】
2004147013.tif 000003
【図２】
2004147013.tif 000004
【図３】
2004147013.tif 000005
【図４】
2004147013.tif 000006
【図５】
2004147013.tif 000007
【図６】
2004147013.tif 000008
【図７】
2004147013.tif 000009